(57)【特許請求の範囲】
【請求項１】
速度調整装置からの目標値と回転速度との偏差に基づき速度演算装置においてガイドベーンのアクチュエータの制御量を演算して出力する水車またはポンプ水車の調速機であって、
系統周波数がある周波数以下の場合に、系統周波数の上昇に対し調速機の速度制御が応答しないように前記速度演算装置に入力する回転速度を補正する回転速度補正回路を設けたことを特徴とする水車またはポンプ水車の調速機。
【請求項２】
請求項１に記載の水車またはポンプ水車の調速機において、
前記回転速度補正回路は、系統周波数がある周波数以下の場合に、系統周波数の上昇に対し、実質的に水車またはポンプ水車の回転速度が維持されるように、前記速度演算装置に入力する回転速度を補正することを特徴とする水車またはポンプ水車の調速機。
【請求項３】
請求項２に記載の水車またはポンプ水車の調速機において、
前記回転速度補正回路は、系統周波数がある周波数以下の場合に、系統周波数が上昇しても、系統周波数があたかも上昇していないように、前記速度演算装置に入力する回転速度を補正することを特徴とする水車またはポンプ水車の調速機。
【請求項４】
請求項１〜３の何れかに記載の水車またはポンプ水車の調速機において、
前記回転速度を監視する切替周波数検出回路を有し、前記切替周波数検出回路の出力に基づき、系統周波数がある周波数以下の場合に、前記回転速度補正回路の出力を前記速度演算装置に入力するようにしたことを特徴とする水車またはポンプ水車の調速機。
【請求項５】
請求項４に記載の水車またはポンプ水車の調速機において、
系統周波数がある周波数よりも大きくなり、前記切替周波数検出回路の出力に基づき、前記回転速度補正回路で補正された回転速度から実際の回転速度に基づく速度制御に切替える際に、前記速度演算装置に入力する回転速度を、切替え時の補正された回転速度から実際の回転速度に緩やかに変化させるバンプレス回路を設けたことを特徴とする水車またはポンプ水車の調速機。
【発明の詳細な説明】
【技術分野】
【０００１】
本発明は、水車またはポンプ水車の調速機に関する。
【背景技術】
【０００２】
電力需給状況が逼迫した電力系統においては、需要が変化すると供給の遅れが発生し系統周波数が変動する。
【０００３】
一方、水車またはポンプ水車の調速機は、系統に連結された後は系統の周波数に即座に応答する，すなわち即応性重視のゲインにて速度制御を行う。このため、系統周波数の変動量が大きくなると、水車またはポンプ水車のガイドベーン開度，すなわち出力が大きく変動し、特に系統周波数の変動量や変動周期によっては共振現象を発生させて系統周波数変動の安定性が損なわれる。
【０００４】
電力需給状況が逼迫した電力系統において系統周波数変動の安定性を向上させるためには、系統周波数変動のある領域においては系統周波数の変動に応答しないように調速機の速度制御とすることが有効である。例えば、インド国においては、RGMO（Restricted Governor Mode of Operation）が制定され、系統周波数が規定の周波数以下の状態では周波数が上昇しても、水車またはポンプ水車の調速機は速度制御に応答せず、水車またはポンプ水車の出力を低下させないことと義務つけられている。
【０００５】
一方、従来の水車またはポンプ水車の調速機において、系統周波数の変動に応答しない制御モードとしては、負荷制限モードによる運転のみである。負荷制限モードによる運転では系統周波数の変動に一切応答しない制御状態となる。負荷制限モードは、例えば、特許文献１に記載のように、ＰＩＤ演算で得られた出力制御指令を負荷制限設定器（７７）で設定された上限値に制限することにより行う。
【先行技術文献】
【特許文献】
【０００６】
【特許文献１】特開２００８−２２５９８号公報
【発明の概要】
【発明が解決しようとする課題】
【０００７】
電力需給状況が逼迫した電力系統にて運転される水車あるいはポンプ水車においては、従来の調速機の速度垂下率特性に従った速度制御運転を行うと、周波数変動と速度制御に共振現象が発生しやすく、安定した系統への電力供給が困難となる場合がある。
【０００８】
従来の水車またはポンプ水車の調速機においては、負荷制限モードも含めて、速度制御状態において系統周波数変動に応答しない周波数領域と応答する周波数領域を任意に設定できるように構成されていない。
【０００９】
また、従来の水車またはポンプ水車の調速機においては、電力需給状況が逼迫した電力系統において、系統周波数が規定の周波数以下の状態で周波数が上昇しても、速度制御に応答しないようにして、水車またはポンプ水車の出力が低下しないようにすることができない。
【００１０】
本発明の目的は、系統周波数がある周波数以下の状態において、速度制御に応答しない系統周波数領域と応答する系統周波数領域を設定することが可能な水車またはポンプ水車の調速機を提供することにある。
【００１１】
また、本発明の他の目的は、速度制御に応答しない系統周波数領域と応答する系統周波数領域を設定するにあたって、両者の切替えをスムーズに行い、応答／非応答の切替えにおける移行過渡時の安定性を改善することが可能な水車またはポンプ水車の調速機を提供することにある。
【課題を解決するための手段】
【００１２】
本発明は上記課題を解決するために、系統周波数がある周波数以下の場合に、系統周波数の変動（上昇）に対し調速機の速度制御が応答しないように速度演算装置に入力する回転速度を補正する回転速度補正回路を設けたことを特徴とする。
【００１３】
また、本発明は、回転速度を監視する切替周波数検出回路を有し、切替周波数検出回路の出力に基づき、回転速度が所定の周波数以下のときに、回転速度補正回路の出力を速度演算装置に入力するようにしたことを特徴とする。
【００１４】
また、本発明は、回転速度が所定の周波数よりも大きくなり、切替周波数検出回路の出力に基づき、回転速度補正回路で補正された回転速度から実際の回転速度に基づく速度制御に切替える際に、速度演算装置に入力する回転速度を、切替え時の補正された回転速度から実際の回転速度に緩やかに変化させるバンプレス回路を設けたことを特徴とする。
【発明の効果】
【００１５】
本発明によれば、系統周波数がある周波数以下の状態において、速度制御に応答しない系統周波数領域と応答する系統周波数領域を設定することが可能となり、系統周波数安定に大きく寄与することができる。
【００１６】
また、本発明によれば、速度制御に応答しない系統周波数領域と応答する系統周波数領域を設定するにあたって、両者の切替えをスムーズに行い、応答／非応答の切替えにおける移行過渡時の安定性を改善することが可能となり、系統周波数安定に大きく寄与することができる。
【図面の簡単な説明】
【００１７】
【図１】本発明の一実施例を示す調速機制御ブロック図である。
【図２】本発明の系統周波数変動とガイドベーン動作を示す図である。
【図３】調速機の速度垂下率特性を示す図である。
【発明を実施するための形態】
【００１８】
以下、図面を用いて本発明の一実施例を説明する。
【００１９】
図1は、本発明の一実施例を示すブロック図である。
【００２０】
符号１〜４，１９，２０で示す構成要素は従来の調速機に備えられている構成要素であり、その他の符号で示す構成要素が本実施例で新たに加えられた調速機の構成要素である。即ち、本実施例では、調速機の速度制御において、調速機本来の速度制御回路を変更しないようにして、即ち、速度垂下率特性に従った速度制御運転を前提として、速度演算装置に入力する回転速度を補正する回転速度補正回路を設けている。
【００２１】
従来の調速機の速度制御部は、速度調整装置１で設定された調速機の制御目標値と検出された水車発電機の回転速度との偏差を受けて速度演算装置２においてガイドベーンの制御目標値をＰＩＤ（比例積分微分）演算し、速度演算装置２から出力される制御目標値と実際のガイドベーン開度の偏差量によりアクチュエータを制御しガイドベーンを動作させる。ガイドベーン開度は負荷調整装置３の目標値を加味した上で速度垂下率演算器４を介し速度演算装置２に帰還される。ここで、速度垂下率演算器４は、図３に示す速度垂下率特性が組み込まれ、回転速度変動に対するガイドベーンの動作比率を決定するよう作用するものである。また、負荷制限モードでは、負荷制限設定器１９と低値選択器２０により、アクチュエータに出力される制御指令が負荷制限設定器１９で設定された上限値に制限される。また、水車発電機の回転速度は、系統並列後は系統周波数と同一となる。負荷制限モード以外は、水車発電機の回転速度の変動に対し常時応答する回路構成となっている。このため、従来の調速機においては、系統周波数が予め設定された周波数以下の場合において系統周波数変動（特に系統周波数上昇の変動）に応答しない制御状態を実現することができない。
【００２２】
本実施例では、調速機の速度制御において、系統周波数の安定性を向上させるために、系統周波数変動（系統周波数上昇の変動）に応答しない領域と応答する領域を設けるにあたって、調速機本来の速度制御回路を変更しないようにし、かつ連続的でスムーズな回転速度補正制御を実現するようにしたものである。
【００２３】
即ち、本実施例では、図1に示すように、従来の調速機に対し、前値保持回路８，高値選択回路９及び出力信号選択器１０から構成される回転速度補正回路５と、切替周波数検出回路６及びバンプレス回路７を付加し、系統周波数が予め設定された周波数以下となった場合に調速機の速度制御が系統周波数変動（系統周波数上昇の変動）に応答しないようにしたものである。
【００２４】
回転速度補正回路５においては、高値選択回路９における高値選択器９-１の一方の入力に速度調整装置１の目標値と回転速度（周波数）との偏差が入力され（プラス偏差：速度調整装置1の目標値＞回転速度。プラス偏差であるのは、本実施例では電力需給状況が逼迫し、系統周波数が商用電源周波数よりも小さい状態での動作を想定しているからである。）、高値選択器９-１の他方の入力に予め設定された周波数（系統の商用電源周波数を５０Ｈｚとした場合、例えば４９Ｈｚ）と速度調整装置１の目標値との偏差（速度調整装置１の目標値−予め設定された周波数）が入力され、高い方の信号が後段に出力される。これにより、高値選択器９-１から出力される値がプラスとなり、また、予め設定された周波数よりも実際の回転速度が低い場合のみに後述の一次遅れ要素１３（積分器）を積分させるようにしている。なお、予め設定された周波数と回転速度とを比較して低値を選択し、その後に速度調整装置１の目標値との偏差を後段に出力するようにしても良い。
【００２５】
高値選択回路９の出力は、高値選択器１１，信号選択器１２及び一次遅れ要素１３から構成された前値保持回路８に入力され、高値選択回路９の出力値が一次遅れ要素１３の出力値より高い場合は（系統周波数が低下方向に相当）、信号選択器１２を介し一次遅れ要素１３に入力されることにより、一次遅れ要素１３は高値選択回路９の出力と同一の出力値となる。一方、高値選択回路９の出力値が一次遅れ要素１３の出力値より小さい場合は（系統周波数が上昇方向に相当）、高値選択器１１により一次遅れ要素１３の出力値が選択されるので、一次遅れ要素１３の出力は前値を保持する。ここで、信号選択器１２は、系統周波数が予め設定された周波数よりも高くなったかを監視する後述する切替周波数検出回路６の状態により作動する。切替周波数検出回路６が、系統周波数が予め設定した周波数以下であることを検出している場合（切替周波数検出回路６がOFF）は、信号選択器１２は高値選択器１１の出力を出力し、他方、系統周波数が予め設定した周波数より大きい場合（切替周波数検出回路６がON）は、リセットされ、Z1の0．0を出力する。
【００２６】
かくして、回転速度補正回路５（前値保持回路８）は、系統周波数が一旦予め設定された周波数以下となった場合に系統周波数が予め設定された周波数を超えるまでの間で一番低い系統周波数と速度調整装置１の目標値との偏差を出力する。
【００２７】
切替周波数検出回路６は、比較器６-２において回転速度を常時監視し系統周波数が予め設定された周波数より大きい場合にON出力する。ここで、刻々変化する回転速度に対し切替周波数検出回路６のチャタリングを防止することを目的に、切替周波数を検出したことにより作動するタイマー要素６-２が加味され、ＯＮ出力がある時間継続した後に切換周波数の検出を後段に出力する。なお、速度調整装置１の目標値と回転速度（系統周波数）との偏差を常時監視し、速度調整装置１の目標値と回転速度との偏差が予め設定された偏差（速度調整装置１の目標値と予め設定された周波数との偏差）より小さい場合にON出力するようにしても良い。
【００２８】
出力信号選択器１０は、信号選択器１４及び信号選択器１５から構成されている。
【００２９】
信号選択器１４は、切替周波数検出回路６の出力により作動し、系統周波数が予め設定された周波数より高くなった場合に速度調整装置１と回転速度の偏差を出力（信号選択器１４へのＺ１を出力）し、系統周波数が予め設定された周波数以下の場合は前値保持回路８の出力を選択して、信号選択器１５へ出力する。
【００３０】
信号選択器１５は、系統並列した状態（系統と発電機を繋ぐ遮断器がONで系統と発電機が並列した状態）により作動し、系統並列した状態である場合は回転速度補正回路５の出力（信号選択器１４からの出力）を選択し、系統並列していない場合は速度調整装置１の目標値と回転速度の偏差の出力（信号選択器１５へのX）を選択し出力する。
【００３１】
次に本実施例の回転速度補正回路５の動作について説明する。
【００３２】
信号選択器１５に系統並列の信号が入力されると、回転速度補正回路５からの信号が選択され、速度演算装置２には回転速度補正回路５からの回転速度信号（速度調整装置１の目標値と回転速度の偏差に関する信号）が入力される。
【００３３】
系統周波数が予め設定された周波数より高い場合は、切替周波数検出回路６の出力はOFFとなるので、信号選択器１４は速度調整装置１と回転速度の偏差を、信号選択器１５を介して速度演算装置２に出力し、従来の調速機における速度垂下率特性に従った速度制御運転と同じ速度制御を行う。
【００３４】
系統周波数が予め設定された周波数以下の場合は、切替周波数検出回路６の出力がONとなるので、信号選択器１４は回転速度補正装置５で補正された速度信号を選択、即ち、前値保持回路８の出力を選択して、信号選択器１５を介して速度演算装置２に出力し、補正された回転速度信号に基づき速度制御を行う。
【００３５】
回転速度補正装置５では、上述したように、高値選択回路９及び前値保持回路８により、系統周波数が一旦予め設定された周波数以下となった場合に系統周波数が予め設定された周波数を超えるまでの間で一番低い系統周波数と速度調整装置１の目標値との偏差を出力する。即ち、回転速度補正回路５は、系統周波数が一旦予め設定された周波数以下となった場合に系統周波数が予め設定された周波数を超えるまで、系統周波数が上昇しても、恰も系統周波数が上昇していないように、言い換えれば、実質的に回転速度が維持されているように、回転速度の偏差を補正している。
【００３６】
上述したように、本実施例においては、従来の調速機の速度制御部の前段に、回転速度補正回路５及び切替周波数検出回路６を設けることにより、水車及びポンプ水車が系統並列後において、系統周波数が予め設定された周波数以下に低下した状態において系統周波数の上昇に調速機の速度制御部を応答させないようにすることができる。従って、電力需給状況が逼迫した系統においても安定した電力供給が可能となる。
【００３７】
また、電力需給状況が逼迫した系統において、系統周波数が予め設定された周波数、例えば４９Ｈｚ以下に低下した状態で、系統周波数が上昇すると、従来の調速機では、ガイドベーン開度が閉じる方向に動作して出力を低下させてしまい、安定した電力供給ができなくなるが、本実施例では出力を維持することができ、安定した電力供給が可能となる。
【００３８】
また、本実施例では、系統周波数上昇の変動に応答しない領域と応答する領域を設けるにあたって、連続的でスムーズな回転速度補正制御が実現できるようにしている。即ち、本実施例では、系統周波数が予め設定された周波数より大きくなり、回転速度補正回路５（前値保持回路８）の出力を使用する状態から不使用状態に切り替わる過渡時に、一次遅れ要素１６と信号選択器１７から構成されるバンプレス回路７を介し信号を伝達することにより、急激な信号変化を防止し、穏やかな状態移行を可能としている。
【００３９】
バンプレス回路７の一次遅れ要素（積分器）１６は、回転速度補正回路５の出力を使用する状態から不使用状態に切り替わると瞬時に出力が変化することを防止するためのもので、一次遅れ要素１６の時定数により、回転速度補正回路５の出力を使用する状態から不使用状態の出力に到達する時間を任意に設定することができる。バンプレス回路７からの出力は加算器１８において速度調整装置１の目標値と回転速度の偏差に加算されて、信号選択器１４及び信号選択器１５を介して速度演算装置２に入力される。信号選択器１７は、切替周波数検出回路６がＯＮ（Z2が１）となった場合、Z1の信号が選択され出力され、切替周波数検出回路６がＯＦＦ（Z2が０）の場合はXが選択され出力され、一次遅れ要素１６のK2のゲインを設定する。Z1とＸのKは、例えば、それぞれ０．０２と１００を目安に設定される。
【００４０】
図２は、本実施例による系統周波数とガイドベーン開度動作状況を示すものである。
【００４１】
ここで、従来の調速機では、図３に示す速度垂下率特性に従いガイドベーン開度の目標値が決定される。すなわち、系統並列後、系統周波数が変化すると速度垂下率の比率によりガイドベーン開度の動作量が決定される。尚、系統周波数変動によるガイドベーン開度の変化の過渡時においては速度制御部のダンピング特性により動作状況が相違することは当然でのことである。
【００４２】
図２において、系統周波数がA点からB点に低下した場合、予め設定された周波数よりも高い周波数であることからガイドベーン開度は速度垂下率特性に従い開動作する（切替周波数検出回路６がONで、信号選択器１４はZ１を選択し出力し、目標値と回転速度の偏差に基づいて速度垂下率特性に従いガイドベーン開度制御が行われている。）。
【００４３】
系統周波数がB点からC点においては予め設定された周波数以下に低くなっても周波数が低下方向に変動していることから速度垂下率特性に従いガイドベーン開度は開動作する（切替周波数検出回路６がOFFで、信号選択器１４は前値保持回路８からの信号を選択し出力している。また、周波数が低下方向に変動しているので、前値保持回路８の出力値は高値選択回路９と同一の出力値となり、目標値と回転速度の偏差に基づいて速度垂下率特性に従いガイドベーン開度制御が行われている。）。
【００４４】
系統周波数がC点からD点においては予め設定された周波数以下に低くなっており、周波数が上昇していることから、従来の調速機であれば速度垂下率特性により点線のようにガイドベーン開度が閉動作する。本実施例では、回転速度補正回路５及び切替周波数検出回路６の作用により、系統周波数はC点の状態を継続しているように補正されガイドベーン開度は一定開度を保持する（切替周波数検出回路６がOFFで、信号選択器１４は前値保持回路８からの信号を選択し出力している。また、周波数が上昇方向に変動しているので、前値保持回路８の出力値は前値を保持した値となり、即ち、目標値と回転速度の偏差があたかも変化していないように補正されて、速度演算装置２に入力され、ガイドベーン開度制御（一定開度保持）が行われている。）。
【００４５】
系統周波数がD点を超え予め設定された周波数より高くなった場合は、回転速度補正回路５が不使用状態となり速度垂下率特性に従いガイドベーンが閉動作する（切替周波数検出回路６がONで、信号選択器１４はZ１を選択し出力し、目標値と回転速度の偏差に基づいて速度垂下率特性に従いガイドベーン開度制御が行われている。）。
【００４６】
ここで、C点からD点においては回転速度補正回路５によりC点の系統周波数が継続しているように補正しているため、本実施例のバンプレス回路７がない場合、D点以降において、回転速度補正回路５を不使用とした直後の制御偏差が過大であり、一点鎖線の如く急激にガイドベーンが閉動作することになる。本実施例では、上述のバンプレス回路７を用いることにより実線の如く穏やかなガイドベーンの閉動作を実現することができる。
【００４７】
本実施例によれば、電力需給状況が逼迫した電力系統に連結された水車またはポンプ水車の速度制御時に、水車またはポンプ水車の出力が系統周波数の変動（特に、水車あるいはポンプ水車の出力が減少する方向の系統の周波数変動）に過敏に応答することがなく、安定した系統への電力供給を実現することができる。
【００４８】
また、本発明は、制御系における外乱などにより、通常の変動範囲を逸脱するような制御指令が入力され不安定現象を発生してしまう装置においても、制御の安定性を維持することのできる手段として有効な発明である。即ち、回転速度の検出信号にノイズなどが侵入し誤信号となる場合があるが、この誤信号による制御となると出力が大きく変動し不安定現象を引き起こすが、本発明が具備されていれば不安定現象を小さく抑えることができる。但し、予め設定する周波数は想定される誤信号に応じて設定される。
【符号の説明】
【００４９】
１…  速度調整装置、  ２…  速度演算装置、  ３…  負荷調整装置、  ４…  速度垂下率演算器、  ５…  回転速度補正回路、  ６…  切替周波数検出回路、  ７…  バンプレス回路、  ８…  前値保持回路、  ９…  高値選択回路、  １０…  出力信号選択回路、  １１…  高値選択器、  １２…  信号選択器、  １３…  一次遅れ要素、  １４…  信号選択器、  １５…  信号選択器、  １６…  一次遅れ要素、  １７…  信号選択器、  １８…  加算器、  １９…  負荷制限設定器、  ２０…  低値選択器。
【図１】
0005868100.tif 000002
【図２】
0005868100.tif 000003
【図３】
0005868100.tif 000004